(57)【要約】【課題】本発明は収納便利な使い捨てマスクをを提供した。【解決手段】本体及び前記本体の上方に設置される固定フレームを含み、前記本体の中には糸巻きチャンバ及び二つの前記糸巻きチャンバの間に位置する浄化チャンバが対称的に設置され、前記糸巻きチャンバの中には収納装置が設置され、前記浄化チャンバの中には活性炭バッグが設置され、前記浄化チャンバの底壁の中にはベルトチャンバが設置される；本発明設備が同一の動力源を利用して使い捨てマスクの収納を連動させ、それと同時に該当動力源を利用し空気吸い上げ装置の空気の吸い上げを実現でき、設備が空気を浄化することができ、使用者の呼吸する空気がより新鮮になり、携帯にもより便利である。【選択図】図１
2020142034.tif 000002
【特許請求の範囲】
【請求項１】
本体及び前記本体の上方に設置される固定フレームを含み、前記本体の中には糸巻きチャンバ及び二つの前記糸巻きチャンバの間に位置する浄化チャンバが対称的に設置され、前記糸巻きチャンバの中には収納装置が設置され、前記浄化チャンバの中には活性炭バッグが設置され、前記浄化チャンバの底壁の中にはベルトチャンバが設置され、前記ベルトチャンバの底壁の中には第一スライドチャンバ及び左方に伸びる切換チャンバが設置され、前記切換チャンバの底壁の中には上方に開口した第二スライドチャンバが設置され、前記第二スライドチャンバの中には切替装置が設置され、前記スライドチャンバの底壁の中には前記浄化チャンバと連通する空気吸い上げチャンバが設置され、前記空気吸い上げチャンバの底壁の中にはフィルターが固定的に設置され、前記空気吸い上げチャンバと前記切換チャンバとの間には第一回転軸が回転できるように設置され、前記空気吸い上げチャンバの中の前記第一回転軸の末端には空気吸い上げファンが固定的に設置され、前記切換チャンバの中の前記第一回転軸の末端には第一歯車が固定的に設置され、前記第一スライドチャンバの中にはロック装置が設置され、前記固定フレームの中には上下に貫通する呼吸チャンバが設置され、前記呼吸チャンバの左右端壁の中には第一スライド穴が設置され、前記固定フレームの上方には通気板が設置され、前記通気板の中には通気チャンバが設置され、前記通気チャンバの底壁の中には弧状穴が設置され、前記通気板と前記固定フレームとの間には左右対称であるばね及び前記ばねの間に位置する折り畳み式マスクが弾性的に設置され、前記収納装置、前記切換装置及び前記ロック装置が合わせて空気清浄とマスクの収納を実現することを特徴とする収納便利な使い捨てマスク。
【請求項２】
前記収納装置は前記糸巻きチャンバの中に回転できるように設置される第二回転軸を含み、前記第二回転軸の頂部末端と前記糸巻きチャンバの頂壁の中に設置されるねじりばねとが弾性的に接続され、前記糸巻きチャンバの中の前記第二回転軸の外表面にはリールが固定的に設置され、前記糸巻きチャンバの端壁の中には第二スライド穴が設置され、前記リールの外表面には前記浄化チャンバを連通する換気パイプが巻きつくように設置され、前記換気パイプのうち前記浄化チャンバから離れている一端が前記第二スライド穴と前記第一スライド穴とを貫通して前記通気チャンバと連通し、左側の前記第二回転軸の下へ伸びる末端には第二歯車が固定的に設置され、右側の前記第二回転軸の下へ伸びる末端が前記ベルトチャンバの中に挿入され、またその末端には第一プーリが固定的に設置され、前記ベルトチャンバと前記切換チャンバとの間には第三回転軸が回転できるように設置され、前記ベルトチャンバの中の前記第三回転軸の末端には第二プーリが固定的に設置され、前記第二プーリと前記第一プーリとの間がベルトにより伝動できるように係合接続され、前記切換チャンバの中の前記第三回転軸の末端には前記第二歯車と噛み合う第三歯車が固定的に設置され、前記換気パイプが前記通気板、前記折り畳み式マスク、前記固定フレーム及び前記本体を引き、それらを重ね合わせて収納し、収納の機能を実現することを特徴とする請求項１に記載の収納便利な使い捨てマスク。
【請求項３】
前記切換装置は前記第二スライドチャンバの中に左右へスライドできるように設置される第二スライドブロックを含み、前記第二スライドブロックの頂壁の中にはモータが固定的に設置され、前記モータの末端には前記第一歯車と噛み合う第四歯車が固定的に設置され、前記第二スライドチャンバの左側端壁の中には第三スライド穴が設置され、前記第三スライド穴の中には前記第二スライドブロックと固定的に接続される第一ラックがスライドできるように設置され、前記本体の左側端壁の中には第四スライド穴が設置され、前記第四スライド穴の中には第二ラックがスライドできるように設置され、前記第三スライド穴と前記第四スライド穴との間には歯車チャンバが連通設置され、前記歯車チャンバの中には前記第一ラック及び前記第二ラックと噛み合う第五歯車が回転できるように設置され、前記第四スライド穴の末端にはピストンチャンバが連通設置され、前記ピストンチャンバの中には前記第二ラックと固定的に接続されるピストンがスライドできるように設置され、前記ピストンチャンバと前記第一スライドチャンバとの間には液圧パイプが連通設置され、前記第二スライドブロックが左右に移動し動力の切換を連動させることを特徴とする請求項１に記載の収納便利な使い捨てマスク。
【請求項４】
前記ロック装置は前記第一スライドブロックの中に設置されるラチェット歯止め溝を含み、前記ラチェット歯止め溝の頂壁の中には第四回転軸が回転できるように設置され、前記ラチェット歯止め溝の中の前記第四回転軸の末端には前記ラチェット歯止め溝と係合されるラチェットギヤが固定的に設置され、前記第四回転軸の末端にはスプラインスリーブが固定的に設置され、前記第一スライドチャンバと前記ベルトチャンバとの間には右側の前記第二回転軸と固定的に接続されるスプライン軸が回転できるように設置され、前記ラチェットギヤが前記前記ラチェット歯止め溝と係合され、それによって前記第二回転軸が片方向に回転し、ロック機能を実現することを特徴とする請求項１に記載の収納便利な使い捨てマスク。
【発明の詳細な説明】
【技術分野】
【０００１】
本発明は防護用品分野に関わり、具体的には収納便利な使い捨てマスクである。
【背景技術】
【０００２】
人々は大型の災害救援活動を行う時、普通の使い捨てマスクのろ過機能が救助者の使用に満足できるほど十分ではなく、伝統的な高い防護性能を持つマスクは体積が大きく、収納が不便であり、したがって携帯が便利でろ過効果がよりよい使い捨てマスクを設計して上記の問題を解決する必要がある。
【先行技術文献】
【特許文献】
【０００３】
【特許文献１】中国特許出願公開第１８０３２２７号明細書
【発明の概要】
【発明が解決しようとする課題】
【０００４】
本発明は自動車用の飾り収納ケースを提供し、既存の技術における上記欠点を解消し、設備の実用性を高めることを目的とする。
【課題を解決するための手段】
【０００５】
本発明の収納便利な使い捨てマスクは、本体及び前記本体の上方に設置される固定フレームを含み、前記本体の中には糸巻きチャンバ及び二つの前記糸巻きチャンバの間に位置する浄化チャンバが対称的に設置され、前記糸巻きチャンバの中には収納装置が設置され、前記浄化チャンバの中には活性炭バッグが設置され、前記浄化チャンバの底壁の中にはベルトチャンバが設置され、前記ベルトチャンバの底壁の中には第一スライドチャンバ及び左方に伸びる切換チャンバが設置され、前記切換チャンバの底壁の中には上方に開口した第二スライドチャンバが設置され、前記第二スライドチャンバの中には切替装置が設置され、前記スライドチャンバの底壁の中には前記浄化チャンバと連通する空気吸い上げチャンバが設置され、前記空気吸い上げチャンバの底壁の中にはフィルターが固定的に設置され、前記空気吸い上げチャンバと前記切換チャンバとの間には第一回転軸が回転できるように設置され、前記空気吸い上げチャンバの中の前記第一回転軸の末端には空気吸い上げファンが固定的に設置され、前記切換チャンバの中の前記第一回転軸の末端には第一歯車が固定的に設置され、前記第一スライドチャンバの中にはロック装置が設置され、前記固定フレームの中には上下に貫通する呼吸チャンバが設置され、前記呼吸チャンバの左右端壁の中には第一スライド穴が設置され、前記固定フレームの上方には通気板が設置され、前記通気板の中には通気チャンバが設置され、前記通気チャンバの底壁の中には弧状穴が設置され、前記通気板と前記固定フレームとの間には左右対称であるばね及び前記ばねの間に位置する折り畳み式マスクが弾性的に設置され、前記収納装置、前記切換装置及び前記ロック装置が合わせて空気清浄とマスクの収納を実現する。
【０００６】
好ましくは、前記収納装置は前記糸巻きチャンバの中に回転できるように設置される第二回転軸を含み、前記第二回転軸の頂部末端と前記糸巻きチャンバの頂壁の中に設置されるねじりばねとが弾性的に接続され、前記糸巻きチャンバの中の前記第二回転軸の外表面にはリールが固定的に設置され、前記糸巻きチャンバの端壁の中には第二スライド穴が設置され、前記リールの外表面には前記浄化チャンバを連通する換気パイプが巻きつくように設置され、前記換気パイプのうち前記浄化チャンバから離れている一端が前記第二スライド穴と前記第一スライド穴とを貫通して前記通気チャンバと連通し、左側の前記第二回転軸の下へ伸びる末端には第二歯車が固定的に設置され、右側の前記第二回転軸の下へ伸びる末端が前記ベルトチャンバの中に挿入され、またその末端には第一プーリが固定的に設置され、前記ベルトチャンバと前記切換チャンバとの間には第三回転軸が回転できるように設置され、前記ベルトチャンバの中の前記第三回転軸の末端には第二プーリが固定的に設置され、前記第二プーリと前記第一プーリとの間がベルトにより伝動できるように係合接続され、前記切換チャンバの中の前記第三回転軸の末端には前記第二歯車と噛み合う第三歯車が固定的に設置され、前記換気パイプが前記通気板、前記折り畳み式マスク、前記固定フレーム及び前記本体を引き、それらを重ね合わせて収納し、収納の機能を実現する。
【０００７】
好ましくは、前記切換装置は前記第二スライドチャンバの中に左右へスライドできるように設置される第二スライドブロックを含み、前記第二スライドブロックの頂壁の中にはモータが固定的に設置され、前記モータの末端には前記第一歯車と噛み合う第四歯車が固定的に設置され、前記第二スライドチャンバの左側端壁の中には第三スライド穴が設置され、前記第三スライド穴の中には前記第二スライドブロックと固定的に接続される第一ラックがスライドできるように設置され、前記本体の左側端壁の中には第四スライド穴が設置され、前記第四スライド穴の中には第二ラックがスライドできるように設置され、前記第三スライド穴と前記第四スライド穴との間には歯車チャンバが連通設置され、前記歯車チャンバの中には前記第一ラック及び前記第二ラックと噛み合う第五歯車が回転できるように設置され、前記第四スライド穴の末端にはピストンチャンバが連通設置され、前記ピストンチャンバの中には前記第二ラックと固定的に接続されるピストンがスライドできるように設置され、前記ピストンチャンバと前記第一スライドチャンバとの間には液圧パイプが連通設置され、前記第二スライドブロックが左右に移動し動力の切換を連動させる。
【０００８】
好ましくは、前記ロック装置は前記第一スライドブロックの中に設置されるラチェット歯止め溝を含み、前記ラチェット歯止め溝の頂壁の中には第四回転軸が回転できるように設置され、前記ラチェット歯止め溝の中の前記第四回転軸の末端には前記ラチェット歯止め溝と係合されるラチェットギヤが固定的に設置され、前記第四回転軸の末端にはスプラインスリーブが固定的に設置され、前記第一スライドチャンバと前記ベルトチャンバとの間には右側の前記第二回転軸と固定的に接続されるスプライン軸が回転できるように設置され、前記ラチェットギヤが前記前記ラチェット歯止め溝と係合され、それによって前記第二回転軸が片方向に回転し、ロック機能を実現する。
【発明の効果】
【０００９】
本発明有益な効果は：本発明設備が同一の動力源を利用して使い捨てマスクの収納を連動させ、それと同時に該当動力源を利用し空気吸い上げ装置の空気の吸い上げを実現でき、設備が空気を浄化することができ、使用者の呼吸する空気がより新鮮になり、携帯にもより便利である。
【図面の簡単な説明】
【００１０】
発明の実施例または既存の技術の中の技術方案をより詳しく説明できるため、下記には実施例または既存の技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができる。
【００１１】
【図１】図１は本発明の収納便利な使い捨てマスクの全体構造模式図である；
【図２】図２は図１のＡの拡大構造模式図である。
【発明を実施するための形態】
【００１２】
本説明書に開示したすべての特徴、または開示したすべての方法または過程中のステップは、互いに排斥する特徴と／またはステップ以外に、いずれもあらゆる方式で組み合わせることができる。
【００１３】
下記に図１−２を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１４】
図１−２に示すように、本発明の収納便利な使い捨てマスクは、本体１０及び前記本体１０の上方に設置される固定フレーム１９を含み、前記本体１０の中には糸巻きチャンバ２１及び二つの前記糸巻きチャンバ２１の間に位置する浄化チャンバ５１が対称的に設置され、前記糸巻きチャンバ２１の中には収納装置２００が設置され、前記浄化チャンバ５１の中には活性炭バッグ５２が設置され、前記浄化チャンバ５１の底壁の中にはベルトチャンバ５６が設置され、前記ベルトチャンバ５６の底壁の中には第一スライドチャンバ４４及び左方に伸びる切換チャンバ２４が設置され、前記切換チャンバ２４の底壁の中には上方に開口した第二スライドチャンバ３４が設置され、前記第二スライドチャンバ３４の中には切替装置３００が設置され、前記スライドチャンバ３４の底壁の中には前記浄化チャンバ５１と連通する空気吸い上げチャンバ３８が設置され、前記空気吸い上げチャンバ３８の底壁の中にはフィルター５８が固定的に設置され、前記空気吸い上げチャンバ３８と前記切換チャンバ５０との間には第一回転軸４７が回転できるように設置され、前記空気吸い上げチャンバ３８の中の前記第一回転軸４７の末端には空気吸い上げファン３７が固定的に設置され、前記切換チャンバ５０の中の前記第一回転軸４７の末端には第一歯車４８が固定的に設置され、前記第一スライドチャンバ４４の中にはロック装置４００が設置され、前記固定フレーム１９の中には上下に貫通する呼吸チャンバ１２が設置され、前記呼吸チャンバ１２の左右端壁の中には第一スライド穴１３が設置され、前記固定フレーム１９の上方には通気板１５が設置され、前記通気板１５の中には通気チャンバ１６が設置され、前記通気チャンバ１６の底壁の中には弧状穴１７が設置され、前記通気板１５と前記固定フレーム１９との間には左右対称であるばね１４及び前記ばね１４の間に位置する折り畳み式マスク１８が弾性的に設置され、前記収納装置２００、前記切換装置３００及び前記ロック装置４００が合わせて空気清浄とマスクの収納を実現する。
【００１５】
有益なように、前記収納装置２００は前記糸巻きチャンバ２１の中に回転できるように設置される第二回転軸２３を含み、前記第二回転軸２３の頂部末端と前記糸巻きチャンバ２１の頂壁の中に設置されるねじりばね２０とが弾性的に接続され、前記糸巻きチャンバ２１の中の前記第二回転軸２３の外表面にはリール２２が固定的に設置され、前記糸巻きチャンバ２１の端壁の中には第二スライド穴１１が設置され、前記リール２２の外表面には前記浄化チャンバ５１を連通する換気パイプ６０が巻きつくように設置され、前記換気パイプ６０のうち前記浄化チャンバ５１から離れている一端が前記第二スライド穴１１と前記第一スライド穴１３とを貫通して前記通気チャンバ１６と連通し、左側の前記第二回転軸２３の下へ伸びる末端には第二歯車２５が固定的に設置され、右側の前記第二回転軸２３の下へ伸びる末端が前記ベルトチャンバ５６の中に挿入され、またその末端には第一プーリ４６が固定的に設置され、前記ベルトチャンバ５６と前記切換チャンバ５０との間には第三回転軸５５が回転できるように設置され、前記ベルトチャンバ５６の中の前記第三回転軸５５の末端には第二プーリ５７が固定的に設置され、前記第二プーリ５７と前記第一プーリ４６との間がベルト５３により伝動できるように係合接続され、前記切換チャンバ５０の中の前記第三回転軸５５の末端には前記第二歯車２５と噛み合う第三歯車５４が固定的に設置され、前記換気パイプ６０が前記通気板１５、前記折り畳み式マスク１８、前記固定フレーム１９及び前記本体１０を引き、それらを重ね合わせて収納し、収納の機能を実現する。
【００１６】
有益なように、前記切換装置３００は前記第二スライドチャンバ３４の中に左右へスライドできるように設置される第二スライドブロック３５を含み、前記第二スライドブロック３５の頂壁の中にはモータ３６が固定的に設置され、前記モータ３６の末端には前記第一歯車４７と噛み合う第四歯車４９が固定的に設置され、前記第二スライドチャンバ３４の左側端壁の中には第三スライド穴３２が設置され、前記第三スライド穴３２の中には前記第二スライドブロック３５と固定的に接続される第一ラック３３がスライドできるように設置され、前記本体１０の左側端壁の中には第四スライド穴２８が設置され、前記第四スライド穴２８の中には第二ラック２９がスライドできるように設置され、前記第三スライド穴３２と前記第四スライド穴２８との間には歯車チャンバ２６が連通設置され、前記歯車チャンバ２６の中には前記第一ラック３３及び前記第二ラック２９と噛み合う第五歯車２７が回転できるように設置され、前記第四スライド穴２８の末端にはピストンチャンバ３１が連通設置され、前記ピストンチャンバ３１の中には前記第二ラック２９と固定的に接続されるピストン３０がスライドできるように設置され、前記ピストンチャンバ３１と前記第一スライドチャンバ４４との間には液圧パイプ３９が連通設置され、前記第二スライドブロック３５が左右に移動し動力の切換を連動させる。
【００１７】
有益なように、前記ロック装置４００は前記第一スライドブロック４０の中に設置されるラチェット歯止め溝４１を含み、前記ラチェット歯止め溝４１の頂壁の中には第四回転軸４３が回転できるように設置され、前記ラチェット歯止め溝４１の中の前記第四回転軸４３の末端には前記ラチェット歯止め溝４１と係合されるラチェットギヤ４２が固定的に設置され、前記第四回転軸４３の末端にはスプラインスリーブ４５が固定的に設置され、前記第一スライドチャンバ４４と前記ベルトチャンバ５６との間には右側の前記第二回転軸２３と固定的に接続されるスプライン軸６１が回転できるように設置され、前記ラチェットギヤ４２が前記前記ラチェット歯止め溝４１と係合され、それによって前記第二回転軸２３が片方向に回転し、ロック機能を実現する。
【００１８】
下記に、出願人は附図１−２及び上記の本出願の収納便利な使い捨てマスクの具体的な構成を参考してその使用方法を詳しく紹介する：
【００１９】
第二ラック２９を押し右へ移動させて第一ラック３３を連動させ左へ移動させ、それにより第一スライドブロック３５を連動させ左へ移動させ、第四歯車４９が第三歯車５４と噛み合い、それと同時に第二ラック２９がピストン３０をプッシュし移動させて第一スライドブロック４０を連動させ上へ移動させ、スプラインスリーブ４５がスプライン軸６１と係合され、モータ３６を始動し第四歯車４９、第三歯車５４、第二歯車２５、第二プーリ５７及び第一プーリ４６を回転連動させ、それにより左右にある二つのリール２２を連動させ逆方向に回転させ、それにより換気パイプ６０がリール２２の表面に巻き付けられ、それと同時に第二回転軸２３が回転してねじりばね２０を連動させ力を蓄積させ、この時に換気パイプ６０が通気板１５、折りたたみ式マスク１８、固定フレーム１９及び本体１０を引き、それらを重ね合わせて収納し、この時にモータ３６を閉め、ラチェットギヤ４２がラチェット歯止め溝４１と係合され、それにより第二回転軸２３が逆方向に回転することができなく、ねじりばね２０の蓄積した力を放出できなく、この時に使い捨てマスクの体積が減り、携帯が便利になり、マスクを使用する時、第二ラック２９を左へ引いて第一スライドブロック４０を連動させ下へ移動させ、スプライン軸６１がスプラインスリーブ４５から離脱され、この時にねじりばね２０が放出されてリール２２を連動させて逆方向へ回転させ、この時に換気パイプ６０がばね１４の作用により設備から引き出され、使い捨てマスクが伸びて広がり、それと同時に第二ラック２９が左へ移動して第二スライドブロック３５を連動させ右へ移動させ、設備が初期状態に戻り、この時にモータ３６を始動して第四歯車４９、第一歯車４８及び空気吸い上げファン３７を回転連動させて空気を浄化チャンバ５１の中に吸い込んで浄化した後に、空気が換気パイプ６０を経由して通気チャンバ１６の中に入り、これにより使用者が呼吸する空気を提供する。
【００２０】
上記の詳細な分析から分かるのは：本発明設備が同一の動力源を利用して使い捨てマスクの収納を連動させ、それと同時に該当動力源を利用し空気吸い上げ装置の空気の吸い上げを実現でき、設備が空気を浄化することができ、使用者の呼吸する空気がより新鮮になり、携帯にもより便利である。
【００２１】
上記の記載は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定した保護範囲を基準とするべきである。
【図１】
2020142034.tif 000003
【図２】
2020142034.tif 000004
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
本体及び前記本体の上方に設置される固定フレームを含み、前記本体の中には二つの第一空チャンバが設置され、二つの前記第一空チャンバが左右対称となっており、かつ二つの前記第一空チャンバの間には浄化チャンバが設置され、前記第一空チャンバの中には収納装置が設置され、前記浄化チャンバの中には活性炭バッグが設置され、前記浄化チャンバの底壁の中には第二空チャンバが設置され、前記第二空チャンバの底壁の中には第一チャンバ及び左方に伸びる第三チャンバが設置され、前記第三チャンバの底壁の中には上方に開口した第二チャンバが設置され、前記第二チャンバの中には動力切換装置が設置され、前記第二チャンバの底壁の中には前記浄化チャンバと連通する空気吸い上げチャンバが設置され、前記空気吸い上げチャンバの底壁の中にはフィルターが固定的に設置され、前記空気吸い上げチャンバと前記第三チャンバとの間には第一回転軸が回転できるように設置され、前記空気吸い上げチャンバの中の前記第一回転軸の末端には空気吸い上げファンが固定的に設置され、前記第三チャンバの中の前記第一回転軸の末端には第一歯車が固定的に設置され、前記第一チャンバの中にはロック装置が設置され、前記固定フレームの中には上下に貫通する呼吸チャンバが設置され、前記呼吸チャンバの左右端壁の中には第一穴が設置され、前記固定フレームの上方には通気板が設置され、前記通気板の中には通気チャンバが設置され、前記通気チャンバの底壁の中には弧状穴が設置され、前記通気板と前記固定フレームとの間には左右対称であるばね及び前記ばねの間に位置する折り畳み式マスクが弾性的に設置され、前記収納装置、前記動力切換装置及び前記ロック装置が合わせて空気清浄とマスクの収納を実現し、
前記収納装置は前記第一空チャンバの中に回転できるように設置される第二回転軸を含み、前記第二回転軸の頂部末端と前記第一空チャンバの頂壁の中に設置されるねじりばねとが弾性的に接続され、前記第一空チャンバの中の前記第二回転軸の外表面にはリールが固定的に設置され、前記第一空チャンバのうち前記浄化チャンバから離れた側の内壁の中には第二スライド穴が設置され、前記リールの外表面には前記浄化チャンバを連通する換気パイプが巻きつくように設置され、前記換気パイプのうち前記浄化チャンバから離れている一端が前記第二スライド穴と前記第一穴とを貫通して前記通気チャンバと連通し、左側の前記第二回転軸の下へ伸びる末端には第二歯車が固定的に設置され、右側の前記第二回転軸の下へ伸びる末端が前記第二空チャンバの中に挿入され、またその末端には第一プーリが固定的に設置され、前記第二空チャンバと前記第三チャンバとの間には第三回転軸が回転できるように設置され、前記第二空チャンバの中の前記第三回転軸の末端には第二プーリが固定的に設置され、前記第二プーリと前記第一プーリとの間がベルトにより伝動できるように係合接続され、前記第三チャンバの中の前記第三回転軸の末端には前記第二歯車と噛み合う第三歯車が固定的に設置され、前記換気パイプが前記通気板、前記折り畳み式マスク、前記固定フレーム及び前記本体を引き、それらを重ね合わせて収納し、収納の機能を実現し、
前記動力切換装置は前記第二チャンバの中に左右へスライドできるように設置される第二スライドブロックを含み、前記第二スライドブロックの頂壁の中にはモータが固定的に設置され、前記モータの末端には前記第一歯車と噛み合う第四歯車が固定的に設置され、前記第二チャンバの左側端壁の中には第三スライド穴が設置され、前記第三スライド穴の中には前記第二スライドブロックと固定的に接続される第一ラックがスライドできるように設置され、前記本体の左側端壁の中には第四スライド穴が設置され、前記第四スライド穴の中には第二ラックがスライドできるように設置され、前記第三スライド穴と前記第四スライド穴との間には歯車チャンバが連通設置され、前記歯車チャンバの中には前記第一ラック及び前記第二ラックと噛み合う第五歯車が回転できるように設置され、前記第四スライド穴の末端にはピストンチャンバが連通設置され、前記ピストンチャンバの中には前記第二ラックと固定的に接続されるピストンがスライドできるように設置され、前記ピストンチャンバと前記第一チャンバとの間には液圧パイプが連通設置され、前記第二スライドブロックが左右に移動し動力の切換を連動させ、
前記ロック装置は前記第一スライドブロックの中に設置されるラチェット歯止め溝を含み、前記ラチェット歯止め溝の頂壁の中には第四回転軸が回転できるように設置され、前記ラチェット歯止め溝の中の前記第四回転軸の末端には前記ラチェット歯止め溝と係合されるラチェットギヤが固定的に設置され、前記第四回転軸の末端にはスプラインスリーブが固定的に設置され、前記第一チャンバと前記第二空チャンバとの間には右側の前記第二回転軸と固定的に接続されるスプライン軸が回転できるように設置され、前記ラチェットギヤが前記ラチェット歯止め溝と係合され、それによって前記第二回転軸が片方向に回転し、ロック機能を実現することを特徴とする収納便利な使い捨てマスク。
【手続補正２】
【補正対象書類名】明細書
【補正対象項目名】全文
【補正方法】変更
【補正の内容】
【発明の詳細な説明】
【技術分野】
【０００１】
本発明は防護用品分野に関わり、具体的には収納便利な使い捨てマスクである。
【背景技術】
【０００２】
人々は大型の災害救援活動を行う時、普通の使い捨てマスクのろ過機能が救助者の使用に満足できるほど十分ではなく、伝統的な高い防護性能を持つマスクは体積が大きく、収納が不便であり、したがって携帯が便利でろ過効果がよりよい使い捨てマスクを設計して上記の問題を解決する必要がある。
【先行技術文献】
【特許文献】
【０００３】
【特許文献１】中国特許出願公開第１８０３２２７号明細書
【発明の概要】
【発明が解決しようとする課題】
【０００４】
本発明は自動車用の飾り収納ケースを提供し、既存の技術における上記欠点を解消し、設備の実用性を高めることを目的とする。
【課題を解決するための手段】
【０００５】
本発明の収納便利な使い捨てマスクは、本体及び前記本体の上方に設置される固定フレームを含み、前記本体の中には二つの第一空チャンバが設置され、二つの前記第一空チャンバが左右対称となっており、かつ二つの前記第一空チャンバの間には浄化チャンバが設置され、前記第一空チャンバの中には収納装置が設置され、前記浄化チャンバの中には活性炭バッグが設置され、前記浄化チャンバの底壁の中には第二空チャンバが設置され、前記第二空チャンバの底壁の中には第一チャンバ及び左方に伸びる第三チャンバが設置され、前記第三チャンバの底壁の中には上方に開口した第二チャンバが設置され、前記第二チャンバの中には動力切換装置が設置され、前記第二チャンバの底壁の中には前記浄化チャンバと連通する空気吸い上げチャンバが設置され、前記空気吸い上げチャンバの底壁の中にはフィルターが固定的に設置され、前記空気吸い上げチャンバと前記第三チャンバとの間には第一回転軸が回転できるように設置され、前記空気吸い上げチャンバの中の前記第一回転軸の末端には空気吸い上げファンが固定的に設置され、前記第三チャンバの中の前記第一回転軸の末端には第一歯車が固定的に設置され、前記第一チャンバの中にはロック装置が設置され、前記固定フレームの中には上下に貫通する呼吸チャンバが設置され、前記呼吸チャンバの左右端壁の中には第一穴が設置され、前記固定フレームの上方には通気板が設置され、前記通気板の中には通気チャンバが設置され、前記通気チャンバの底壁の中には弧状穴が設置され、前記通気板と前記固定フレームとの間には左右対称であるばね及び前記ばねの間に位置する折り畳み式マスクが弾性的に設置され、前記収納装置、前記動力切換装置及び前記ロック装置が合わせて空気清浄とマスクの収納を実現する。
【０００６】
好ましくは、前記収納装置は前記第一空チャンバの中に回転できるように設置される第二回転軸を含み、前記第二回転軸の頂部末端と前記第一空チャンバの頂壁の中に設置されるねじりばねとが弾性的に接続され、前記第一空チャンバの中の前記第二回転軸の外表面にはリールが固定的に設置され、前記第一空チャンバのうち前記浄化チャンバから離れた側の内壁の中には第二スライド穴が設置され、前記リールの外表面には前記浄化チャンバを連通する換気パイプが巻きつくように設置され、前記換気パイプのうち前記浄化チャンバから離れている一端が前記第二スライド穴と前記第一穴とを貫通して前記通気チャンバと連通し、左側の前記第二回転軸の下へ伸びる末端には第二歯車が固定的に設置され、右側の前記第二回転軸の下へ伸びる末端が前記第二空チャンバの中に挿入され、またその末端には第一プーリが固定的に設置され、前記第二空チャンバと前記第三チャンバとの間には第三回転軸が回転できるように設置され、前記第二空チャンバの中の前記第三回転軸の末端には第二プーリが固定的に設置され、前記第二プーリと前記第一プーリとの間がベルトにより伝動できるように係合接続され、前記第三チャンバの中の前記第三回転軸の末端には前記第二歯車と噛み合う第三歯車が固定的に設置され、前記換気パイプが前記通気板、前記折り畳み式マスク、前記固定フレーム及び前記本体を引き、それらを重ね合わせて収納し、収納の機能を実現する。
【０００７】
好ましくは、前記動力切換装置は前記第二チャンバの中に左右へスライドできるように設置される第二スライドブロックを含み、前記第二スライドブロックの頂壁の中にはモータが固定的に設置され、前記モータの末端には前記第一歯車と噛み合う第四歯車が固定的に設置され、前記第二チャンバの左側端壁の中には第三スライド穴が設置され、前記第三スライド穴の中には前記第二スライドブロックと固定的に接続される第一ラックがスライドできるように設置され、前記本体の左側端壁の中には第四スライド穴が設置され、前記第四スライド穴の中には第二ラックがスライドできるように設置され、前記第三スライド穴と前記第四スライド穴との間には歯車チャンバが連通設置され、前記歯車チャンバの中には前記第一ラック及び前記第二ラックと噛み合う第五歯車が回転できるように設置され、前記第四スライド穴の末端にはピストンチャンバが連通設置され、前記ピストンチャンバの中には前記第二ラックと固定的に接続されるピストンがスライドできるように設置され、前記ピストンチャンバと前記第一チャンバとの間には液圧パイプが連通設置され、前記第二スライドブロックが左右に移動し動力の切換を連動させる。
【０００８】
好ましくは、前記ロック装置は前記第一スライドブロックの中に設置されるラチェット歯止め溝を含み、前記ラチェット歯止め溝の頂壁の中には第四回転軸が回転できるように設置され、前記ラチェット歯止め溝の中の前記第四回転軸の末端には前記ラチェット歯止め溝と係合されるラチェットギヤが固定的に設置され、前記第四回転軸の末端にはスプラインスリーブが固定的に設置され、前記第一チャンバと前記第二空チャンバとの間には右側の前記第二回転軸と固定的に接続されるスプライン軸が回転できるように設置され、前記ラチェットギヤが前記ラチェット歯止め溝と係合され、それによって前記第二回転軸が片方向に回転し、ロック機能を実現する。
【発明の効果】
【０００９】
本発明有益な効果は：本発明設備が同一の動力源を利用して使い捨てマスクの収納を連動させ、それと同時に該当動力源を利用し空気吸い上げ装置の空気の吸い上げを実現でき、設備が空気を浄化することができ、使用者の呼吸する空気がより新鮮になり、携帯にもより便利である。
【図面の簡単な説明】
【００１０】
発明の実施例または既存の技術の中の技術方案をより詳しく説明できるため、下記には実施例または既存の技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができる。
【００１１】
【図１】図１は本発明の収納便利な使い捨てマスクの全体構造模式図である；
【図２】図２は図１のＡの拡大構造模式図である。
【発明を実施するための形態】
【００１２】
本説明書に開示したすべての特徴、または開示したすべての方法または過程中のステップは、互いに排斥する特徴と／またはステップ以外に、いずれもあらゆる方式で組み合わせることができる。
【００１３】
下記に図１−２を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１４】
図１−２に示すように、本発明の収納便利な使い捨てマスクは、本体１０及び前記本体１０の上方に設置される固定フレーム１９を含み、前記本体１０の中には二つの第一空チャンバ２１が設置され、二つの前記第一空チャンバ２１が左右対称となっており、かつ二つの前記第一空チャンバ２１の間には浄化チャンバ５１が設置され、前記第一空チャンバ２１の中には収納装置２００が設置され、前記浄化チャンバ５１の中には活性炭バッグ５２が設置され、前記浄化チャンバ５１の底壁の中には第二空チャンバ５６が設置され、前記第二空チャンバ５６の底壁の中には第一チャンバ４４及び左方に伸びる第三チャンバ２４が設置され、前記第三チャンバ２４の底壁の中には上方に開口した第二チャンバ３４が設置され、前記第二チャンバ３４の中には動力切換装置３００が設置され、前記第二チャンバ３４の底壁の中には前記浄化チャンバ５１と連通する空気吸い上げチャンバ３８が設置され、前記空気吸い上げチャンバ３８の底壁の中にはフィルター５８が固定的に設置され、前記空気吸い上げチャンバ３８と前記第三チャンバ５０との間には第一回転軸４７が回転できるように設置され、前記空気吸い上げチャンバ３８の中の前記第一回転軸４７の末端には空気吸い上げファン３７が固定的に設置され、前記第三チャンバ５０の中の前記第一回転軸４７の末端には第一歯車４８が固定的に設置され、前記第一チャンバ４４の中にはロック装置４００が設置され、前記固定フレーム１９の中には上下に貫通する呼吸チャンバ１２が設置され、前記呼吸チャンバ１２の左右端壁の中には第一穴１３が設置され、前記固定フレーム１９の上方には通気板１５が設置され、前記通気板１５の中には通気チャンバ１６が設置され、前記通気チャンバ１６の底壁の中には弧状穴１７が設置され、前記通気板１５と前記固定フレーム１９との間には左右対称であるばね１４及び前記ばね１４の間に位置する折り畳み式マスク１８が弾性的に設置され、前記収納装置２００、前記動力切換装置３００及び前記ロック装置４００が合わせて空気清浄とマスクの収納を実現する。
【００１５】
有益なように、前記収納装置２００は前記第一空チャンバ２１の中に回転できるように設置される第二回転軸２３を含み、前記第二回転軸２３の頂部末端と前記第一空チャンバ２１の頂壁の中に設置されるねじりばね２０とが弾性的に接続され、前記第一空チャンバ２１の中の前記第二回転軸２３の外表面にはリール２２が固定的に設置され、前記第一空チャンバ２１のうち前記浄化チャンバ５１から離れた側の内壁の中には第二スライド穴１１が設置され、前記リール２２の外表面には前記浄化チャンバ５１を連通する換気パイプ６０が巻きつくように設置され、前記換気パイプ６０のうち前記浄化チャンバ５１から離れている一端が前記第二スライド穴１１と前記第一穴１３とを貫通して前記通気チャンバ１６と連通し、左側の前記第二回転軸２３の下へ伸びる末端には第二歯車２５が固定的に設置され、右側の前記第二回転軸２３の下へ伸びる末端が前記第二空チャンバ５６の中に挿入され、またその末端には第一プーリ４６が固定的に設置され、前記第二空チャンバ５６と前記第三チャンバ５０との間には第三回転軸５５が回転できるように設置され、前記第二空チャンバ５６の中の前記第三回転軸５５の末端には第二プーリ５７が固定的に設置され、前記第二プーリ５７と前記第一プーリ４６との間がベルト５３により伝動できるように係合接続され、前記第三チャンバ５０の中の前記第三回転軸５５の末端には前記第二歯車２５と噛み合う第三歯車５４が固定的に設置され、前記換気パイプ６０が前記通気板１５、前記折り畳み式マスク１８、前記固定フレーム１９及び前記本体１０を引き、それらを重ね合わせて収納し、収納の機能を実現する。
【００１６】
有益なように、前記動力切換装置３００は前記第二チャンバ３４の中に左右へスライドできるように設置される第二スライドブロック３５を含み、前記第二スライドブロック３５の頂壁の中にはモータ３６が固定的に設置され、前記モータ３６の末端には前記第一歯車４７と噛み合う第四歯車４９が固定的に設置され、前記第二チャンバ３４の左側端壁の中には第三スライド穴３２が設置され、前記第三スライド穴３２の中には前記第二スライドブロック３５と固定的に接続される第一ラック３３がスライドできるように設置され、前記本体１０の左側端壁の中には第四スライド穴２８が設置され、前記第四スライド穴２８の中には第二ラック２９がスライドできるように設置され、前記第三スライド穴３２と前記第四スライド穴２８との間には歯車チャンバ２６が連通設置され、前記歯車チャンバ２６の中には前記第一ラック３３及び前記第二ラック２９と噛み合う第五歯車２７が回転できるように設置され、前記第四スライド穴２８の末端にはピストンチャンバ３１が連通設置され、前記ピストンチャンバ３１の中には前記第二ラック２９と固定的に接続されるピストン３０がスライドできるように設置され、前記ピストンチャンバ３１と前記第一チャンバ４４との間には液圧パイプ３９が連通設置され、前記第二スライドブロック３５が左右に移動し動力の切換を連動させる。
【００１７】
有益なように、前記ロック装置４００は前記第一スライドブロック４０の中に設置されるラチェット歯止め溝４１を含み、前記ラチェット歯止め溝４１の頂壁の中には第四回転軸４３が回転できるように設置され、前記ラチェット歯止め溝４１の中の前記第四回転軸４３の末端には前記ラチェット歯止め溝４１と係合されるラチェットギヤ４２が固定的に設置され、前記第四回転軸４３の末端にはスプラインスリーブ４５が固定的に設置され、前記第一チャンバ４４と前記第二空チャンバ５６との間には右側の前記第二回転軸２３と固定的に接続されるスプライン軸６１が回転できるように設置され、前記ラチェットギヤ４２が前記ラチェット歯止め溝４１と係合され、それによって前記第二回転軸２３が片方向に回転し、ロック機能を実現する。
【００１８】
下記に、出願人は附図１−２及び上記の本出願の収納便利な使い捨てマスクの具体的な構成を参考してその使用方法を詳しく紹介する：
【００１９】
第二ラック２９を押し右へ移動させて第一ラック３３を連動させ左へ移動させ、それにより第一スライドブロック３５を連動させ左へ移動させ、第四歯車４９が第三歯車５４と噛み合い、それと同時に第二ラック２９がピストン３０をプッシュし移動させて第一スライドブロック４０を連動させ上へ移動させ、スプラインスリーブ４５がスプライン軸６１と係合され、モータ３６を始動し第四歯車４９、第三歯車５４、第二歯車２５、第二プーリ５７及び第一プーリ４６を回転連動させ、それにより左右にある二つのリール２２を連動させ逆方向に回転させ、それにより換気パイプ６０がリール２２の表面に巻き付けられ、それと同時に第二回転軸２３が回転してねじりばね２０を連動させ力を蓄積させ、この時に換気パイプ６０が通気板１５、折りたたみ式マスク１８、固定フレーム１９及び本体１０を引き、それらを重ね合わせて収納し、この時にモータ３６を閉め、ラチェットギヤ４２がラチェット歯止め溝４１と係合され、それにより第二回転軸２３が逆方向に回転することができなく、ねじりばね２０の蓄積した力を放出できなく、この時に使い捨てマスクの体積が減り、携帯が便利になり、マスクを使用する時、第二ラック２９を左へ引いて第一スライドブロック４０を連動させ下へ移動させ、スプライン軸６１がスプラインスリーブ４５から離脱され、この時にねじりばね２０が放出されてリール２２を連動させて逆方向へ回転させ、この時に換気パイプ６０がばね１４の作用により設備から引き出され、使い捨てマスクが伸びて広がり、それと同時に第二ラック２９が左へ移動して第二スライドブロック３５を連動させ右へ移動させ、設備が初期状態に戻り、この時にモータ３６を始動して第四歯車４９、第一歯車４８及び空気吸い上げファン３７を回転連動させて空気を浄化チャンバ５１の中に吸い込んで浄化した後に、空気が換気パイプ６０を経由して通気チャンバ１６の中に入り、これにより使用者が呼吸する空気を提供する。
【００２０】
上記の詳細な分析から分かるのは：本発明設備が同一の動力源を利用して使い捨てマスクの収納を連動させ、それと同時に該当動力源を利用し空気吸い上げ装置の空気の吸い上げを実現でき、設備が空気を浄化することができ、使用者の呼吸する空気がより新鮮になり、携帯にもより便利である。
【００２１】
上記の記載は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定した保護範囲を基準とするべきである。